(57)【要約】【課題】並設される他のパネルと統一感があり、見栄えのよい空気循環パネル及びその連結構造を提供する。【解決手段】並設されるパネル２，２との間に所定の隙間を形成するように介在させた連結部材７で連結され空気循環機能を有する空気循環パネル１であって、パネル本体１０と、該パネル本体の前記連結部材による連結方向となる側面１２に形成された吸込口３及び吹出口４と、該パネル本体内に形成され前記吸込口と前記吹出口とを連通させる空気流通路５と、前記吸込口から取り込んだ空気を前記吹出口へ送風する送風器６とを備え、前記パネル本体は、その前面１１が前記連結部材の前面７０よりも前方に位置する形で連結され、前記吸込口及び前記吹出口は、前記連結部材の前面よりも前方に形成されていることを特徴とする。【選択図】図１
2014206323.tif 000002
【特許請求の範囲】
【請求項１】
並設されるパネルとの間に所定の隙間を形成するように介在させた連結部材で連結され空気循環機能を有する空気循環パネルであって、
パネル本体と、該パネル本体の前記連結部材による連結方向となる側面に形成された吸込口及び吹出口と、該パネル本体内に形成され前記吸込口と前記吹出口とを連通させる空気流通路と、前記吸込口から取り込んだ空気を前記吹出口へ送風する送風器とを備え、
前記パネル本体は、その前面が前記連結部材の前面よりも前方に位置する形で連結され  、
前記吸込口及び前記吹出口は、前記連結部材の前面よりも前方に形成されていることを  
特徴とする空気循環パネル。
【請求項２】
請求項１において、
前記吸込口及び前記吹出口が前記パネル本体の前記連結方向となる両側面のそれぞれに設けられていることを特徴とする空気循環パネル。
【請求項３】
請求項１において、
前記吹出口が前記パネル本体の前記連結方向となる一側面にのみ設けられ、
前記吹出口の開口面積は、複数設けられた前記吸込口の開口面積をすべて合わせた値よりも小さくなるように形成されていることを特徴とする空気循環パネル。
【請求項４】
請求項２または請求項３において、
前記吸込口は、前記パネル本体の下方側に設けられ、
前記吹出口は、前記パネル本体の上方側に設けられており、
前記パネル本体内には、前記吹出口から吹出す空気に向けてイオンを吹き付けるイオン発生部が設けられていることを特徴とする空気循環パネル。
【請求項５】
請求項１〜４のいずれか１項に記載の空気循環パネルと、この空気循環パネルに並設されるパネルと、該パネルとの間に所定の隙間を形成するように介在させて連結する連結部材とを有した空気循環パネルの連結構造において、
前記パネル又は前記連結部材には、前記吹出口から吹出された空気を前方へ送るガイド部が設けられていることを特徴とする空気循環パネルの連結構造。
【発明の詳細な説明】
【技術分野】
【０００１】
本発明は、空気循環機能を備えた空気循環パネル及びその連結構造に関する。
【背景技術】
【０００２】
このような空気循環パネルとしては、例えば下記特許文献１や下記特許文献２が挙げられる。
下記特許文献１には、熱交換器、送風機等を備え、壁面に埋め込んで設置する空気調和機が開示されており、化粧パネルの左右両側に空気吸込口と空気吹出口とが設けられたものが記載されている（第１図等）。
下記特許文献２には、同じように熱交換器、送風機等を備えた空気調和機が開示されており、垂直壁に取り付けられ、ユニット正面パネルの角部に空気の吸込口と吹出口の両方を設けたものが記載されている（第１図等）。
【先行技術文献】
【特許文献】
【０００３】
【特許文献１】特開平１０−２６３０５８号公報
【特許文献２】特開２００４−２０００６号公報
【発明の概要】
【発明が解決しようとする課題】
【０００４】
このような空気循環パネルを例えば間仕切りパネルの一パネルとして組み込む場合、空気循環パネルの前面に吸込口及び吹出口を設けられているため、他のパネルと統一感を持たせることが難しい。
【０００５】
本発明は、上記実情に鑑みてなされたものであり、並設される他のパネルと統一感があり、見栄えのよい空気循環パネル及びその連結構造を提供することを目的としている。
【課題を解決するための手段】
【０００６】
上記目的を達成するために、本発明に係る空気循環パネルは、並設されるパネルとの間に所定の隙間を形成するように介在させた連結部材で連結され空気循環機能を有する空気循環パネルであって、パネル本体と、該パネル本体の前記連結部材による連結方向となる側面に形成された吸込口及び吹出口と、該パネル本体内に形成され前記吸込口と前記吹出口とを連通させる空気流通路と、前記吸込口から取り込んだ空気を前記吹出口へ送風する送風器とを備え、前記パネル本体は、その前面が前記連結部材の前面よりも前方に位置する形で連結され、前記吸込口及び前記吹出口は、前記連結部材の前面よりも前方に形成されていることを特徴とする。
【０００７】
本発明において、前記吸込口及び前記吹出口が前記パネル本体の前記連結方向となる両側面のそれぞれに設けられていてもよい。
また、本発明において、前記吹出口が前記パネル本体の前記連結方向となる一側面にのみ設けられ、前記吹出口の開口面積は、複数設けられた前記吸込口の開口面積をすべて合わせた値よりも小さくなるように形成されていてもよい。
また、本発明において、前記吸込口は、前記パネル本体の下方側に設けられ、前記吹出口は、前記パネル本体の上方側に設けられており、前記パネル本体内には、前記吹出口から吹出す空気に向けてイオンを吹き付けるイオン発生部が設けられていてもよい。
また、本発明において前記空気循環パネルと、この空気循環パネルに並設されるパネルと、該パネルとの間に所定の隙間を形成するように介在させて連結する連結部材とを有した空気循環パネルの連結構造において、前記パネル又は前記連結部材には、前記吹出口から吹出された空気を前方へ送るガイド部が設けられていてもよい。
【発明の効果】
【０００８】
本発明に係る空気循環パネル及びその連結構造は、上述のような構成としたことで、並設される他のパネルと統一感があり見栄えのよいものとすることができる。
【図面の簡単な説明】
【０００９】
【図１】（ａ）は本発明の一実施形態に係る空気循環パネルの連結状態を模式的に示す部分破断概略斜視図であり、（ｂ）は同空気循環パネルの連結部分（連結構造）を模式的に示す概略断面図である。
【図２】（ａ）は同空気循環パネルの連結状態を模式的に示す概略正面図、（ｂ）は同空気循環パネルを模式的に示す概略側面図である。
【図３】同空気循環パネルの変形例を模式的に示す部分破断概略斜視図である。
【発明を実施するための形態】
【００１０】
以下に本発明の実施の形態について、図面に基づいて説明する。
図１〜図３は、本実施形態に係る空気循環パネルの一例を模式的に示す図である。
なお、一部の図では、他図に付している詳細な符号の一部を省略している。
また、以下の実施形態では、空気循環パネルをパネルとパネルの間に組み込み、空気循
環パネルと対面した状態を基準として、手前側を前方、その逆側を後方とし、また、その状態を基準として、上下、左右等の方向を原則的に説明する。
【００１１】
本実施形態に係る空気循環パネル１は、図１に示すように、並設されるパネル（以下では間仕切りパネル）２との間に所定の隙間を形成するように介在させた連結部材７で連結され空気循環機能を有するパネルである。空気循環パネル１は、パネル本体１０と、パネル本体１０の連結部材７による連結方向となる側面１２に形成された吸込口３及び吹出口４と、パネル本体１０内に形成され吸込口３と吹出口４とを連通させる空気流通路５と、吸込口３から取り込んだ空気を吹出口４へ送風する送風器６とを備えている。空気循環パネル１のパネル本体１０は、その前面１１が連結部材７の前面７０よりも前方に位置する形で連結され、吸込口３及び吹出口４は、連結部材７の前面７０よりも前方に形成されている。
以下、詳しく説明する。
【００１２】
この空気循環パネル１は、略矩形平板状で上下に長尺に形成されたパネル本体１０を備え、本実施形態では、室内空間に相異なる２つの小部屋を形成するように間仕切可能とした間仕切りパネル２，２の間に連結された例を示している。
パネル本体１０は、その前面１１と背面１３とに設けられた化粧パネル１０ａ，１０ａと、化粧パネル１０ａの裏面側に一体とされた基材１０ｂとを備え（図１（ｂ）参照）、パネル本体１０内には空気流通路５が設けられている（図１（ｂ）及び図２参照）。パネル本体１０の連結部材７による連結方向となる側面１２には、連結部材７との嵌合部１２ａが形成されている。
【００１３】
パネル本体１０の構成は図例に限定されないが、パネル本体１０自体も間仕切りパネルとして用いられるため、化粧パネル１０ａ，１０ａは前面１１、背面１３ともに同じ材質、同じ態様のものが設けられることが望ましい。
またパネル本体１０に用いられる化粧パネル１０ａを間仕切りパネル２の前面２１、背面２３に設けられた化粧パネル２１ａと同じものとし、パネル本体１０の厚みと間仕切りパネル２の厚みとを同じ寸法にすることが望ましい。この場合、空気循環パネル１と間仕切りパネル２の前面１１，２１及び背面１３，２３を面一（略同一平面）にすることができ、また同じ化粧パネルとすることで統一感を持たせることができる。
【００１４】
パネル本体１０の左右両側面１２，１２には、吸込口３及び吹出口４がそれぞれ設けられ、パネル本体１０の連結方向となる側面１２の下方側（床面側）に吸込口３、その上方側（天井側）に吹出口４が設けられている。
吸込口３及び吹出口４の形状は特に限定されないが、図例のものは縦長方形状に形成されており、これら吸込口３及び吹出口４は、連結部材７の前面７０よりも前方に形成されている。図１（ｂ）に示されているように、間仕切りパネル２と空気循環パネル１とは、所定の隙間を形成するように介在させた連結部材７で連結されているため、空気循環パネル１、具体的にはパネル本体１０の左右両側面１２，１２に連結部材７，７が設けられている。よって、パネル本体１０に形成された吸込口３及び吹出口４は、連結部材７によって塞がれないように連結部材７の前面７０よりも前方に形成されている。
【００１５】
このように吸込口３及び吹出口４がパネル本体１０の連結方向となる側面１２に形成されているので、パネル本体１０の前面１１から見えず、一見すると並設される間仕切りパネル２と同じパネルに見える。よって、空気循環パネル１と間仕切りパネル２との統一感を持たせることができ、意匠性が向上する。また吸込口３及び吹出口４は、連結部材７の前面７０よりも前方に形成されているので、上述したように連結部材７によって塞がれることなく、吸込口３から空気を取り込み、吹出口４から空気を吹き出すことができる。さらに吸込口３及び吹出口４をいずれか一方の側面１２だけでなく、図例のようにパネル本体１０の連結方向となる両側面１２，１２のそれぞれに設ければ、一枚の空気循環パネル１で多くの空気を取り込み、また取り込んだ空気を吹き出させることができる。よって空気の循環効率がよい空気循環パネル１とすることができる。
【００１６】
図例の吸込口３と吹出口４とは、同形同大のものを示しているが、これに限定されない。例えば吸込口３より吹出口４の開口面積を小さくすれば、吸込口３から取り込まれた空気は、吸込口３の開口面積より小さく形成された吹出口４からしか吹出すことができない状態になるので、おのずと吹出口４から吹き出す空気の風量を大きくすることができる。よって、送風器４１の風量を低風量とすることができ、空気循環パネル１から発生する音を抑えることができる。
また吸込口３を下方側に多数個設け、吹出口４の開口面積を複数の吸込口３の開口面積をすべて合わせた値よりも小さくなるようすれば、上記と同様に低風量であっても、吹出口４から吹出す空気の風量を大きくすることができる。
さらに図例のように吸込口３と吹出口４とを上方側と下方側に離間して設けるようにすれば、ショートパス現象を防ぐことができる。
【００１７】
なお、パネル本体１０の側面１２の適所（吸込口３及び吹出口４が形成されている位置と長手方向同じ位置が望ましい）に、後記する送風器６やイオン発生部８（図２（ａ）等参照）をＯＮ／ＯＦＦ操作する操作部を設けるようにしてもよい。この場合、これら送風器６とイオン発生部８とは、個別にＯＮ／ＯＦＦ操作が可能としてもよく、または、同期してＯＮ／ＯＦＦされるものとしてもよい。
操作部を吸込口３及び吹出口４が形成されている位置と長手方向同じ位置に設ければ、パネル本体１０の前面１１から操作部が見えず見栄えがよい。
【００１８】
パネル本体１０内には、図例のように吹出口４から吹出す空気に向けてイオンを吹き付けるイオン発生部８を設けてもよい。
イオン発生部８の設置位置は吹出口４から吹き出す空気にイオンを吹き付けることができれば、特に限定されないが、図２に示されているように、空気流通路５の上方側における吹出口４の近傍にイオンが下向きに吹出すように設けるようにしてもよい。これによれば、吹出口４から吹出される直前にイオン発生部８から発生するイオンが空気に吹き付けられる。
【００１９】
このイオン発生部８は、本実施形態では、除菌・消臭作用を有する帯電微粒子水を放出する静電霧化装置とされている。
この静電霧化装置の詳細な図示は省略しているが、水粒子放出部とこれに対向する対向電極との間に高電圧を印加することで水粒子放出部の水分を霧化し、ナノメートルサイズの帯電微粒子水をイオン吹出部８０から放出する構成とされている。帯電微粒子水は、ナノメートルサイズ（例えば、５ｎｍ〜２０ｎｍ程度）の粒子径のものを含む帯電した微粒子液滴であり、空気中にミスト状態で浮遊可能なものである。
この静電霧化装置としては、水粒子放出部としてのピン状の放電電極（霧化電極）と、この放電電極に対向して配置され、放電電極と同軸状の開口を有してリング形状とされた対向電極とを備えたものとしてもよい。また、これら放電電極と対向電極との間に高電圧を印加することで放電現象を生じさせ、放電電極に保持された水分を静電霧化させることで、帯電微粒子水を電極間（イオン吹出部８０）から放出する構成とされたものとしてもよい。
【００２０】
上記放電電極（水粒子放出部）に水分を保持させる手段としては、放電電極の基端部に連結された冷却手段により、放電電極を冷却することで、放電電極廻りの空気に含まれる水分（水蒸気）を放電電極の表面に結露させて保持させるようにしてもよい。このような冷却手段としては、例えば、ペルチェ素子等としてもよい。この場合は、ペルチェ素子の冷却面に電気絶縁材を介して放電電極の基端部を連結し、また、ペルチェ素子の放熱面に放熱フィン等からなる放熱部を連結するようにしてもよい。
または、放電電極を多孔質セラミック等の多孔質体で構成し、この放電電極の基端部に、液体を貯留する液体供給部を接続し、この液体供給部からの液体を、放電電極の毛細管現象により吸い上げて、その先端部に水分を保持させる態様としてもよい。
【００２１】
なお、イオン発生部８としては、このような静電霧化装置に限られず、除菌・消臭作用を有するイオンを放出するイオン発生器や、マイナスイオンを放出するマイナスイオン発生器等を採用するようにしてもよい。またイオン発生部８の設置位置は図例に限定されず、吹出口４の近傍であればよく、図例では単一のイオン発生部８を配設した例を示しているが、複数のイオン発生部を配設するようにしてもよい。
さらにここでは図示していないが、イオン発生部８の周辺に送風器６やイオン発生部８に駆動電源を供給し、これら送風器６やイオン発生部８を制御する各種回路等を内蔵した制御ユニットを設けるようにしてもよい。
【００２２】
パネル本体１０内に設けられた空気流通路５内には、送風器６が設けられている。この送風器６の設置位置も、吸込口３から取り込んだ空気を吹出口４に送風できれば、特に限定されないが、図例のものは、吸込口３の近傍で空気流通路５内の下方側に設けられている。
送風器６としては、例えばシロッコファンやクロスフローファン等を採用することができる。また、図例では、単一の送風器６を配設した例を示しているが、複数の送風器を配設するようにしてもよい。
なお、ここでは図示していないが、吸込口３や空気流通路５内に脱臭フィルターや防塵フィルター、調湿剤が収容された調湿層を設けてもよい。この場合は、取り込んだ空気の脱臭、埃などの捕捉、湿気を吸収することができ、イオン発生部８の機能と相まって浄化された空気を循環させる空気循環パネル１とすることができる。
【００２３】
間仕切りパネル２は、連結部材７を介して空気循環パネル１と隣接して設けられ、略矩形平板状とされ上下に長尺に形成されている。間仕切りパネル２の前面２１及び背面２３は、パネル本体１０と同様に化粧パネル２１ａ，２１ａが配設されている。間仕切りパネル２の連結方向となる側面２２は、連結部材７によって連結されるように嵌合部２２ａが形成されている。
そして前面２１に設けられた化粧パネル２１ａの連結方向端部には、吹出口４から吹出された空気を前方へ送るガイド部９が嵌め入れられる嵌合凹所２１ｂが形成されている。
【００２４】
ガイド部９は吹出口４から吹き出す空気が空気循環パネル１の前方に向けて流れるように（図１（ｂ）のｄ４矢印参照）凹湾曲形状とされている。
ガイド部９の形状、構成は、図例に限定されず、例えば凹湾曲形状に限らず傾斜面であってもよい。また図例のものは、間仕切りパネル２にガイド部９が設けられた例を示しているが、連結部材７の前面７０に貼り付けられる等して設けられたものとしてもよい。
さらにここではガイド部９が吹出口４側にのみ設けられた例を示しているが、吸込口３側にも同じような構成のガイド部を設けるようにしてもよい。
連結部材７は、空気循環パネル１と、間仕切りパネル２との間に所定の隙間を形成するように介在した状態で互いを連結する長尺な棒状の部材であり、その形状、構成は特に限定されない。
【００２５】
次に図を参照しながら、本実施形態に係る空気循環パネル１の駆動による空気の流れを説明する。
図１（ａ）及び図２（ａ）のｄ１矢印で示すように、吸込口３から空気流通路５内に取り込まれる。取り込まれた空気は送風器６によって空気流通路５を通じて吹出口４側へと送風される（図２（ｂ）のｄ２矢印参照）。
そして空気流通路５の上方に送られた空気は、イオン発生部８によってイオンが吹き付けられた後、図１（ａ）及び図２（ａ）に示すように吹出口４から放出される。この繰り返しにより、空気循環パネル１が設置された空間の空気環境をよい状態に保つことができる。
【００２６】
次に図３を参照しながら、空気循環パネルの変形例について説明する。
図３は、空気循環パネル１の変形例を模式的に示す概略斜視図である。
なお、上述の例との相違点について主に説明し、同様の構成については、同一符号を付し、その説明を省略または簡略に説明する。
【００２７】
図３に示す空気循環パネル１Ａは、吹出口４がパネル本体１０の連結方向となる一側面１２の上方側にのみ設けられている点で上述の例と異なる。また図３に示す空気循環パネル１Ａは、吹出口４の開口面積は、複数の設けられた吸込口３の開口面積をすべて合わせた値よりも小さくなるように形成されている点でも、上述の例と異なる。
このように上記の構成とすれば、吸込口３から取り込まれた空気は、吸込口３の開口面積より小さく形成され、一側面１２にのみ設けられた吹出口４からしか吹出すことができない状態になるので、おのずと吹出口４から吹き出す空気の風量を大きくすることができる。よって、設置される部屋の広範囲に空気を行き渡らせることができる。
この場合も、吸込口３と吹出口４の形状、大きさ等は図例に限定されない。例えば一側面１２の上方側の１か所に設けられた吹出口４に対し、吹出口４が設けられていない方の側面１２に吸込口３を複数個設けるようにしてもよい。
【００２８】
なお、空気循環パネル１、パネル本体１０、吸込口３、吹出口４、送風器６、空気流通路５の構成は上記した例に限定されるものではない。例えば図例では２枚の間仕切りパネル２，２の間に空気循環パネル１を設けた例を示しているが、これに限定されず、片側一枚の間仕切りパネル２と連結されるものであってもよい。また図例のように間仕切りとして使用される場合は、オフィスや店舗、リビングの間仕切り等として使用することができるが、これに限定されず、壁面に設置される空気循環パネル１としても適用可能である。  さらに、空気循環パネル１の吸込側の適所等に、臭いセンサーや埃センサー等の検出部を設け、該検出部の検出に基づいて送風器６やイオン発生部８のＯＮ／ＯＦＦ制御がなされるものとしてもよい。
【符号の説明】
【００２９】
１，１Ａ  空気循環パネル
１０      パネル本体
１２      側面
２        間仕切りパネル（パネル）
２１      前面
３        吸込口
４        吹出口
５        空気流通路
６        送風器
７        連結部材
７０      前面
８        イオン発生部
【図１】
2014206323.tif 000003
【図２】
2014206323.tif 000004
【図３】
2014206323.tif 000005